(57)【要約】【課題】  目線の高さに開口部があっても、室外側から室内の中心方向への視線を遮断できる戸を提供する。【解決手段】  戸体１と、戸体１に設けた縦長の開口部２と、開口部２を開閉するルーバー羽根３とを備え、開口部２の両側壁４が見込方向に対して同一方向に傾斜しており、ルーバー羽根３は、垂直軸周りに回転自在であるとともに左右方向端部が側壁４に当接することで開口部２を閉鎖するものであり、見込方向から見てルーバー羽根３の左右方向端部が側壁４と重なっている。また、ルーバー羽根３が戸体１の見込幅内で回転する。さらに、開口部２が戸体１の中央より見付方向の一方側に片寄らせて設けてある。また、見付方向の他方側が戸体１の戸先側である。さらに、開口部２の両側壁４が室外側から室内側に向けて見付方向の一方側に傾斜している。【選択図】      図１
2010255388.tif 000002
【特許請求の範囲】
【請求項１】
戸体と、戸体に設けた縦長の開口部と、開口部を開閉するルーバー羽根とを備え、開口部の両側壁が見込方向に対して同一方向に傾斜しており、ルーバー羽根は、垂直軸周りに回転自在であるとともに左右方向端部が側壁に当接することで開口部を閉鎖するものであり、見込方向から見てルーバー羽根の左右方向端部が側壁と重なっていることを特徴とする戸。
【請求項２】
ルーバー羽根が戸体の見込幅内で回転することを特徴とする請求項１記載の戸。
【請求項３】
開口部が戸体の中央より見付方向の一方側に片寄らせて設けてあることを特徴とする請求項１又は２記載の戸。
【請求項４】
見付方向の他方側が戸体の戸先側であることを特徴とする請求項３記載の戸。
【請求項５】
開口部の両側壁が室外側から室内側に向けて見付方向の一方側に傾斜していることを特徴とする請求項３又は４記載の戸。
【発明の詳細な説明】
【技術分野】
【０００１】
本発明は、換気機能を有する戸に関する。
【背景技術】
【０００２】
従来、下框部を開閉換気ガラリとした戸が知られているが、開閉する場合には屈まなければならず、不便であった。また、暖気は上昇するので、開口部が下方にしかない場合、効率よく換気できなかった。そこで、戸の縦方向略全長にわたって縦型ルーバーを設けることで、立ったまま容易に開閉可能で、かつ効率よく換気できる。しかし、人の目線の高さに開口部があるため、視線を通してしまうことが問題となる。そのため、特許文献１の戸は、開口部の前に常に回転蓋部材が配置される構成とし、回転蓋部材により外部からの視線を遮断している。
【先行技術文献】
【特許文献】
【０００３】
【特許文献１】特開２００３−１６１０８２号公報
【発明の概要】
【発明が解決しようとする課題】
【０００４】
しかしながら、特許文献１の戸は、開放状態において、正面視した場合には回転蓋部材により視線が遮断されるが、戸に接近すれば開口部から視線が通ってしまうので、視線の遮断が十分とはいえない。
【０００５】
本発明は、上記事情を鑑みたものであり、目線の高さに開口部があっても、室外側から室内の中心方向への視線を遮断できる戸を提供することを目的とする。
【課題を解決するための手段】
【０００６】
本発明のうち請求項１の発明は、戸体と、戸体に設けた縦長の開口部と、開口部を開閉するルーバー羽根とを備え、開口部の両側壁が見込方向に対して同一方向に傾斜しており、ルーバー羽根は、垂直軸周りに回転自在であるとともに左右方向端部が側壁に当接することで開口部を閉鎖するものであり、見込方向から見てルーバー羽根の左右方向端部が側壁と重なっていることを特徴とする。なお、本発明の戸は、ドアと引戸の何れにも用いられるものである。
【０００７】
本発明のうち請求項２の発明は、ルーバー羽根が戸体の見込幅内で回転することを特徴とする。
【０００８】
本発明のうち請求項３の発明は、開口部が戸体の中央より見付方向の一方側に片寄らせて設けてあることを特徴とする。
【０００９】
本発明のうち請求項４の発明は、見付方向の他方側が戸体の戸先側であることを特徴とする。なお、見付方向の一方側は、本発明の戸がドアとして用いられる場合には吊元側に相当し、本発明の戸が引戸として用いられる場合には戸尻側に相当する。
【００１０】
本発明のうち請求項５の発明は、開口部の両側壁が室外側から室内側に向けて見付方向の一方側に傾斜していることを特徴とする。
【発明の効果】
【００１１】
本発明のうち請求項１の発明によれば、ルーバー羽根の左右方向端部が開口部の側壁と重なっているので、正面からの視線を遮断することができる。そして、開口部の両側壁が見込方向に対して傾斜しているので、戸体の直前まで接近して開口部から視線が通っても、視線の方向は正面から傾斜した方向となる。よって、戸の室外側から室内の中心部を見ることができないので、外部からの視線をある程度遮断することができる。
【００１２】
本発明のうち請求項２の発明によれば、ルーバー羽根が見込幅内でしか回転しないので、引戸として使用した際に、ルーバー羽根が戸袋部等に衝突しない。
【００１３】
本発明のうち請求項３の発明によれば、開口部が戸体の中央から片寄った位置にあるので、特に戸を室内壁の中央付近に設置する場合（引違いの引戸として用いる場合等に多い）に、開口部から通る視線がより室内の中心部から外れるため、視線を遮断する効果が高い。
【００１４】
本発明のうち請求項４の発明によれば、ルーバー羽根が吊元側（戸尻側）に位置しており、すなわちドアとして使用した場合には回転中心の近くに位置し、引戸として使用した場合には閉鎖時に縦枠と衝突する戸先から遠くに位置することになるので、何れの場合も戸の閉鎖時の衝撃を受けにくく、ルーバー羽根のがたつきを防止できる。
【００１５】
本発明のうち請求項５の発明によれば、室内外を仕切る戸の一方側に壁面が存在する場合に外部の者が戸の室外側の直前に接近して開口部から視線が通っても、壁面しか見えなくなり、外部からの視線をほぼ遮断することができる。
【図面の簡単な説明】
【００１６】
【図１】戸の第一実施例の水平方向断面図（図３のＡ−Ａ線断面図）であり、（ａ）は開放時、（ｂ）は閉鎖時を示す。
【図２】戸の垂直方向断面図（図３のＢ−Ｂ線断面図）である。
【図３】戸の室外側正面図である。
【図４】開口部の側壁の説明図である。
【図５】（ａ）はルーバー羽根の取付部分の拡大図であり、（ｂ）は（ａ）のＣ−Ｃ線断面図である。
【図６】ルーバー羽根の回転角度規制についての説明図であり、（ａ）は開放時、（ｂ）は閉鎖時を示す。
【図７】外部からの視線の遮断についての説明図である。
【図８】戸の第二実施例を示し、（ａ）は室外側正面図であり、（ｂ）は外部からの視線の遮断についての説明図である。
【図９】戸の第三実施例を示し、（ａ）は室外側正面図であり、（ｂ）は外部からの視線の遮断についての説明図である。
【発明を実施するための形態】
【００１７】
以下、本発明の実施の形態を図面に基づいて説明する。なお、以下の実施形態は、本発明を屋内で室内外を仕切る室内ドアとして用いた場合を示す。この戸の第一実施例は、図１〜図３に示すように、戸体１と、戸体１に設けた開口部２と、開口部２を開閉するルーバー羽根３とを備える。なお、左右方向とは図１における左右方向を示すものとする。
【００１８】
戸体１は、ともに矩形平板状の戸先側（他方側）戸体１ａ及び吊元側（一方側）戸体１ｂを、間隔を開けて連結材２１により連結して構成してある。戸先側戸体１ａ及び吊元側戸体１ｂは、何れも枠材の両面に表面材を貼ったフラッシュパネルであるが、戸先側戸体１ａの方が吊元側戸体１ｂよりも見付方向長さが長い。連結材２１は、角管材で、両戸体１ａ，１ｂの上端同士及び下端同士に横架されている。
【００１９】
そして、戸先側戸体１ａの吊元側面１１ａ及び吊元側戸体１ｂの戸先側面１１ｂには、水平方向断面が略Ｚ字状の縦部材１２を取り付けてある。より詳しくは、図４に示すように、縦部材１２は見込方向に延びる中間面１２１と、中間面１２１の一端から中間面１２１と垂直をなす方向に延びる遮蔽面１２２と、中間面１２１の他端から遮蔽面１２２とは反対方向に延びる化粧面１２３とを備え、中間面１２１の化粧面１２３側にはタッピングホール１２５が形成してあり、さらにタッピングホール１２５の化粧面１２３側から突条１２７が延出している。一方、戸先側戸体１ａの吊元側面１１ａ及び吊元側戸体１ｂの戸先側面１１ｂには、上下に延びる縦溝１１２が形成してあり、縦部材１２の突条１２７を縦溝１１２に嵌め込んで、中間面１２１を吊元側面１１ａ又は戸先側面１１ｂに当接させ、接着剤により固定してある。中間面１２１の見込幅は両戸体１ａ，１ｂの見込幅と略同一であり、戸先側戸体１ａにおいては、その室外側面に化粧面１２３が当接し、吊元側面１１ａの室内側端から吊元側に向けて遮蔽面１２２が延出している。一方、吊元側戸体１ｂにおいては、その室内側面に化粧面１２３が当接し、戸先側面１１ｂの室外側端から戸先側に向けて遮蔽面１２２が延出している。なお、遮蔽面１２２と化粧面１２３の見付幅は同一であり、一方の縦部材１２の遮蔽面１２２と他方の縦部材１２の化粧面１２３とは面一である。また、両縦部材１２において、遮蔽面１２２の先端（戸先側戸体１ａの縦部材１２においては室外側、吊元側戸体１ｂの縦部材１２においては室内側）にはタイト材１２６が設けてある。さらに、遮蔽面１２２の先端から化粧面１２３の基端にかけてカバー材１２４が設けてある。こうして両縦部材１２と両連結材２１とで囲まれた空間が開口部２であり、カバー材１２４が開口部２の傾斜した側壁４の壁面を構成しており、両側壁４は室外側から室内側に向けて吊元側に傾斜している。ただし、カバー材１２４は必須ではなく、両戸体１ａ，１ｂそれぞれにおいて、室外側面又は室内側面の何れか一方が開口部２側に延出し、あるいは開口部２側に延出する部材（本実施形態の遮蔽面１２２に相当する）を設けてあれば、壁面が存在しなくても、傾斜した側壁４とみなせる。なお、戸先側戸体１ａの方が吊元側戸体１ｂよりも見付方向長さが長いので、開口部２は吊元側に片寄った位置にある。
【００２０】
また、前述の連結材２１は、図５に示すように、両戸体１ａ，１ｂの上端面及び下端面に形成した横溝１３に嵌め込み、両戸体１ａ，１ｂ及び縦部材１２のタッピングホール１２５にネジ止めしてある。そして、縦部材１２の突条１２７を縦溝１１２に嵌め込んで接着剤により固定してあるので、両戸体１ａ，１ｂと、縦部材１２と、連結材２１とが強固に連結されている。
【００２１】
さらに、開口部２の上下方向中央には、見付方向に延びる梁部材２２が設けてあり、開口部２を上下に分割している。そして、上下それぞれの開口部２に、開口部２を開閉するルーバー羽根３が取り付けてある。ルーバー羽根３は、水平方向断面が略菱形で、一辺の長さは縦部材１２の遮蔽面１２２及び化粧面１２３の見付幅と略同一である。また、短い方の対角線（短軸）の長さが両戸体１ａ，１ｂの見込幅と略同一であり、長い方の対角線（長軸）の端部（左右方向端部）には対角線の略延長方向に延びるヒレ片３１を形成してあり、ヒレ片３１を含めた長軸方向長さは、開口部２の見付幅よりも長い。さらに、上下端には軸受３４が設けてあって、連結材２１及び梁部材２２に固定した支軸３２を上下の軸受３４に嵌め込むことで、ルーバー羽根３を垂直軸周りに回転自在に取り付けてある。より詳しくは、上側の開口部２においては、連結材２１の下面と梁部材２２の上面に支軸３２が取り付けてあり、下側の開口部２においては、梁部材２２の下面と連結材２１の上面に支軸３２が取り付けてあり、何れの支軸３２も開口部２の見付方向中央に取り付けてある。
【００２２】
そして、図６に示すように、各支軸３２には、見付方向両側に突出する突起３３が形成してあり、各軸受３４には、ルーバー羽根３が開放状態（ヒレ片３１がタイト材１２６から離間し、菱形の一辺が見付方向と略平行となった状態）であるときに突起３３と係合する溝３５ａと、ルーバー羽根３が閉鎖状態（ヒレ片３１がタイト材１２６に当接した状態）であるときに突起３３と係合する溝３５ｂとが形成してある。突起３３がこれらの溝３５ａ，３５ｂに係合することでルーバー羽根３の回転角度が規制され、両戸体１ａ，１ｂの見込幅内でしか回転しない。
【００２３】
また、図５に示すように、上側の連結材２１の室外側面及び室内側面には、被覆板２３が取り付けてある。被覆板２３は下側に延出し、ルーバー羽根３の上端よりも下側の位置まで延びており、この延出部分を延出片２４としてある。よって、ルーバー羽根３の上端は室内外の両延出片２４に挟まれている。この延出片２４は、ルーバー羽根３と連結材２１との間の隙間及び支軸３２と軸受３４とを隠している。下側の連結材２１及び梁部材２２にもそれぞれ被覆板２３が取り付けてあり、下側の連結材２１の被覆板２３は上側に延出する延出片２４を有し、梁部材２２の被覆板２３は上側及び下側に延出する延出片２４を有しており、上側の連結材２１の場合と同様の機能を有する。
【００２４】
このように構成することで、見込方向から見て、ルーバー羽根３のヒレ片３１は開口部２の側壁４と常に重なっている。そして、開口部２を閉鎖するには、ルーバー羽根３を回転させて（図１では時計回り）、両ヒレ片３１を開口部２の両側壁４のタイト材１２６にそれぞれ当接させればよい（図１（ｂ））。一方、開口部２を開放するには、ルーバー羽根３を逆に回転させて（図１では反時計回り）、両ヒレ片３１を開口部２の両側壁４のタイト材１２６から離間させればよい（図１（ａ））。この際、ルーバー羽根３の軸受３４の溝３５ａ，３５ｂに支軸３２の突起３３が係合するので、ルーバー羽根３の回転角度が規制され、両戸体１ａ，１ｂの見込幅内でしか回転せず、またルーバー羽根３が開放状態又は閉鎖状態で固定される。
【００２５】
このように構成した本発明の戸においては、ルーバー羽根３の一方のヒレ片３１を押圧するだけで開口部２の開放・閉鎖状態を切り替えることができる。閉鎖時には、ヒレ片３１が開口部２の側壁４のタイト材１２６に当接するので動作音が静かであり、また閉鎖状態における密閉性が高い。一方、開放時には、ルーバー羽根３の左右方向端部のヒレ片３１が開口部２の側壁４と重なっているので、見込方向からの視線は常に遮断される。また、開口部２の両側壁４が見込方向に対して傾斜しているので、戸体１の直前まで接近して開口部２から視線が通っても、視線の方向は正面から傾斜した方向となる。そして、開口部２が吊元側に片寄らせて設けてあるので、図７に示すように、吊元側に室内壁Ｗが位置するように設置することで、戸の室外側の直前に接近して開口部２から視線が通っても、直近の壁面しか見えなくなり、外部からの視線をほぼ遮断することができる。なお、ルーバー羽根３の水平断面形状が菱形で、側壁４が傾斜していることから、開放時においては側壁４とそれに対向するルーバー羽根３の側面が略平行となるので、空気が滞留することなく、効率よく換気できる。また、ルーバー羽根３が吊元側に位置しているので、戸の閉鎖時の衝撃を受けにくく、ルーバー羽根３のがたつきを防止できる。さらに、菱形のルーバー羽根３の一辺の長さが、縦部材１２の遮蔽面１２２及び化粧面１２３の見付幅と略同一であるので、開放・閉鎖何れの状態においても、両戸体１ａ，１ｂの間には縦方向に三本のラインが入った意匠となり、戸の内外どちらから見ても統一感がある。また、遮蔽面１２２が化粧面１２３と面一であるから、見込方向の凹凸状態も室外側と室内側とで統一されている。さらに、開口部２が上下に分割され、それぞれにルーバー羽根３が設けてあるので、主に視線が通る上側の開口部２を閉鎖しても、下側の開口部２を開放しておくことで換気を行うことができる。
【００２６】
また、図８には、本発明の戸の第二実施例として、屋内で室内外を仕切る室内引戸として用いた場合を示す。この場合もドアの場合と構成は同様であり、戸先側（他方側）戸体１ａと戸尻側（一方側）戸体１ｂとの間に開口部２を有し、開口部２は戸尻側に片寄っており、戸先側戸体１ａの戸尻側面及び戸尻側戸体１ｂの戸先側面に縦部材１２が設けてあって開口部２の側壁４が室外側から室内側に向けて戸尻側に傾斜しており、開口部２は梁部材２２で上下に分割され、上下それぞれにルーバー羽根３が取り付けてある。そして、このように構成した第二実施例の引戸においても、換気機能及び視線を遮断する機能は第一実施例のドアの場合と同様であり、さらに、ルーバー羽根３が両戸体１ａ，１ｂの見込幅内でしか回転しないので、ルーバー羽根３が戸袋部Ｔに衝突することがない。
【００２７】
さらに、図９には、本発明の戸の第三実施例を示す。第三実施例は、第二実施例と同様に屋内で室内外を仕切る室内引戸として用いるものであるが、ここでは一方側が戸先側に、他方側が戸尻側に相当し、戸先側（一方側）戸体１０１ａと戸尻側（他方側）戸体１０１ｂとの間に開口部２を有し、開口部２は戸先側に片寄っており、戸先側戸体１０１ａの戸尻側面及び戸尻側戸体１０１ｂの戸先側面に縦部材１２が設けてあって開口部２の側壁４が室外側から室内側に向けて戸先側に傾斜しており、開口部２は梁部材２２で上下に分割され、上下それぞれにルーバー羽根３が取り付けてある。このように構成した第三実施例の引戸は、特に戸先側に室内壁Ｗが位置する場合に外部からの視線を遮断する効果が高く、換気機能及びルーバー羽根３が戸袋部Ｔに衝突しない点は第二実施例と同様である。
【００２８】
本発明は、上記の実施形態に限定されない。この戸は、室内用に限らず、玄関用のドアや引戸等、種々の用途に用いることができる。戸体は、フラッシュパネル以外に、一枚板からなるものであってもよい。また、開口部は分割されていないものであってもよいし、二つ以上の梁部材を設けて、三つ以上に分割したものでもよい。その場合、ルーバー羽根も開口部の数に合わせて増減する。さらに、開口部は一枚の戸体に孔を形成して設けたものでもよい。また、ルーバー羽根の形状は、水平断面形状が菱形のものに限られず、長方形のものや平行四辺形のもの等、側壁に当接して開口部を閉鎖できるものであればどのような形状であってもよい。さらに、軸受の溝をより多く形成して、開放状態と閉鎖状態の間の中間位置でルーバー羽根を固定できるようにしてもよい。また、軸受の溝及び支軸の突起によらず、ルーバー羽根を延出片に当接させることで回転角度を規制してもよい。さらに、縦部材は戸体にネジ止めしてもよく、その場合カバー材によりネジの頭部が隠されるので、外観が良好である。
【符号の説明】
【００２９】
１  戸体
２  開口部
３  ルーバー羽根
４  側壁
【図１】
2010255388.tif 000003
【図２】
2010255388.tif 000004
【図３】
2010255388.tif 000005
【図４】
2010255388.tif 000006
【図５】
2010255388.tif 000007
【図６】
2010255388.tif 000008
【図７】
2010255388.tif 000009
【図８】
2010255388.tif 000010
【図９】
2010255388.tif 000011